(57)【特許請求の範囲】
【請求項１】
変圧器の負荷時タップ切換器の電動操作機構に設けたタップ位置表示装置において、最外周にフルスケール目盛を、その内側に第２の定格電圧での運転時のタップ位置表示目盛を、さらにその内側に第３の定格電圧での運転時のタップ位置表示目盛を、最内周に第１の定格電圧での運転時のタップ位置表示目盛を円板状のタップ位置表示板に併記し、各定格電圧でのタップ位置を表示するようにして３定格電圧に対応したタップ位置表示を可能にし、
表示窓を有する表面板の内側に、前側スライドシャッタを前に、後側スライドシャッタを後に配置して重ねて取り付け、前側スライドシャッタには第２の定格電圧の表示および２個の覗き窓が設けられ、後側スライドシャッタには第１の定格電圧と第３の定格電圧の表示および３個の覗き窓を設け、この２枚のスライドシャッタの後側にはタップ位置表示板を配置し、スライドシャッタの動作により、表面板の表示窓から運転時の定格電圧とタップ位置番号が見えるようにし、使用定格電圧に対応したタップ位置表示を可能にしたスライドシャッタを備えたことを特徴とするタップ位置表示装置。
【請求項２】
タップ位置表示板の前に表示窓を有する表面板の内側に、前後２枚のスライドシャッタを重ねて取り付け、このスライドシャッタをスライド可能なレール上に取り付け、定格電圧の切り換えの際に、前側のスライドシャッタと後側のスライドシャッタの位置を手動操作により切り換え可能にしたスライドシャッタを備えたことを特徴とする請求項１に記載のタップ位置表示装置。
【請求項３】
２枚のスライドシャッタのそれぞれの一端には電気的に制御するためのソレノイドを取り付け、スライドシャッタのそれぞれの他端にはバネを取り付け、それぞれのソレノイドを励磁することによりそれぞれのスライドシャッタの移動を可能とし、無励磁とした場合に前記バネにより元の位置に戻る構成とし、定格電圧の切換に伴い３回路切換セレクタスイッチにより自動的にタップ位置表示を切り換えるようにしたことを特徴とする請求項１および２に記載のタップ位置表示装置。
【発明の詳細な説明】
【０００１】
【発明の属する技術分野】
本発明は、３定格変圧器の定格電圧切換器付負荷時タップ切換装置のタップ位置表示装置に関するものである。
【０００２】
【従来の技術】
現在、移動用変圧器や試験用変圧器のような特殊変圧器は、以前から様々な地域や目的に応じて使用したいとの要求があり、無電圧直並列切換器と、負荷時タップ切換装置を組み合わせて、更に緻密な電圧調整を行っている。例えば移動用変圧器のように、様々な地域への電源供給が行える、定格電圧の切換可能なタップ切換装置の需要が増えてきている。
【０００３】
図１３は従来の負荷時タップ切換装置の電動操作機構のタップ位置表示装置の構成図で、停止位置指示板３１と動作回数記録計３２およびタップ位置表示板３３とからなっているが、タップ位置の表示機能が１種類しかないので、３定格のタップ切換装置には適用できない。
【０００４】
次に、図１４は従来の負荷時タップ切換装置の電動操作機構のタップ位置表示装置のタップ位置表示板の正面図で、タップ位置表示板３３はフルスケール表示のみのため、定格電圧切換後の定格電圧の表示やその定格電圧でのタップの位置の表示ができない。
【０００５】
【発明が解決しようとする課題】
上記のように、従来の技術のタップ位置表示装置では、１台の変圧器で３種類の定格電圧に切り換えるタップ切換装置のタップ位置表示装置には対応することができないという問題点があった。
【０００６】
本発明は、従来の技術の有するこのような問題点に鑑みてなされたもので、３種類の定格電圧の切り換えの可能なタップ切換方式の変圧器のタップ位置表示ができるタップ切換器のタップ位置表示装置を提供することを目的とする。
【０００７】
【課題を解決するための手段】
本発明において、上記の課題を解決するための手段は、変圧器の負荷時タップ切換器の電動操作機構に設けたタップ位置表示装置のタップ位置表示板の最外周にタップ位置を表示する目盛が３５のフルスケール目盛を、その内側に第２の定格電圧３３ｋＶ運転時のタップ位置表示目盛を、さらにその内側に第３の定格電圧２２ｋＶ運転時のタップ位置表示目盛を、最内周に第１の定格電圧７７ｋＶ運転時のタップ位置表示目盛とを円板状のタップ位置表示板に併記し、各定格電圧でのタップ位置を表示するようにして第１と第２および第３の３種類の定格電圧に対応したタップ表示を可能にし、表示窓を有する表面板の内側に、前側スライドシャッタを前に、後側スライドシャッタを後に配置して重ねて取り付け、前側スライドシャッタには定格電圧の「３３ｋＶ」の表示および２個の覗き窓を設け、後側スライドシャッタには定格電圧の「７７ｋＶ」と「２２ｋＶ」の表示および３個の覗き窓を設け、この２枚のスライドシャッタの後側にはタップ位置表示板を配置し、スライドシャッタの動作により、表面板の表示窓から定格電圧とタップ位置番号が見えるようにして使用定格電圧に対応したタップ位置表示を可能にしたスライドシャッタとし、このスライドシャッタをレールの上に移動可能に配置し、手動または電気的制御により使用定格電圧の表示およびタップ位置を表示するようにしたものである。
【０００８】
このように構成することにより、各定格電圧でのタップ位置が確認でき、このタップ位置表示装置から現在の定格電圧および対応するタップ位置が確認・把握でき、電気的制御が可能になり制御開閉器の切換に伴い自動的に現在の定格電圧の表示とタップ位置表示を切り換えることができるようにしたものである。
【０００９】
【発明の実施の形態】
本出願人は特願平８−１４６８５３号において、無電圧タップ切換器の切換により、１台の変圧器で３種類の定格電圧に切り換えることのできるタップ切換装置を提案した。それは変圧器タンク内に挿通した駆動軸に駆動環を取り付け、この駆動環の駆動により一対の従動環を交互に回転させ、この各従動環と連動して可動接触子を回動させ、４分割された各巻線部分の端部に接続された各固定接触子間の接続を切り換え、３種類の定格電圧の切り換えを行うようにしたものである。また、３分割された各巻線部分の端部または変圧器巻線の端子に接続された各固定接触子間を上記のように駆動される各可動接触子により接続または切り離し、３種類の定格電圧の切り換えを行うようにしたものである。
【００１０】
図１は３定格電圧切換変圧器の３５タップの副切換器付負荷時タップ切換装置の接続とタップ位置の関係の一例を示す関係図で、第１の定格電圧７７ｋＶの運転時には、負荷時タップ切換器は全３５タップの内、１〜３３タップ位置までを１タップ飛びに１７タップに割り当てている。
【００１１】
また、第２の定格電圧３３ｋＶの運転時には、負荷時タップ切換器は全３５タップの内、１〜１７タップ位置までを１７タップに割り当てている。
【００１２】
さらに、第３の定格電圧２２ｋＶの運転時には、負荷時タップ切換器は全３５タップの内、２５〜３５タップ位置までを１１タップに割り当てることで、３種類の定格電圧の切り換えを可能にしたものである。
【００１３】
本発明は、この３定格電圧切換の変圧器に使用されるタップ位置表示装置に関する発明で、以下、本発明を図面に示す実施の形態に基づいて説明する。
【００１４】
図１４に示す従来の負荷時タップ切換器の電動操作機構のタップ位置表示装置のタップ位置表示板３３は、フルスケール表示のみのため、定格電圧切換後の使用定格電圧やその定格電圧でのタップの位置が分からない。そこで本発明は新しいタップ位置表示装置を提案する。
【００１５】
図２は本発明のタップ位置表示装置におけるタップ位置表示板の正面図で、図２に示すように、変圧器の負荷時タップ切換器の電動操作機構に設けたタップ位置表示装置において、最外周にタップ位置を表示する目盛が３５のフルスケール目盛を、その内側に定格電圧３３ｋＶ運転時のタップ位置を表示する１７タップ目盛を、さらにその内側に定格電圧２２ｋＶ運転時のタップ位置を表示する１１タップ目盛を、最内周に定格電圧７７ｋＶ運転時のタップ位置を表示する１７タップ目盛を円板状のタップ位置表示板１に併記し、各定格電圧でのタップ位置を表示するようにして３種類の定格電圧に対応したタップ位置表示を可能にしたものである。
【００１６】
図３は本発明のタップ位置表示装置におけるスライドシャッタの分解説明図で、図３に示すように、前側スライドシャッタ５を前に、後側スライドシャッタ６を後（裏）に配置して前後に重ねてそれぞれ図の左右方向に移動可能に取り付けたスライドシャッタ４を使用する。（図８参照）
前側スライドシャッタ５には第２の定格電圧である「３３ｋＶ」の表示および覗き窓７と８が設けられ、後側スライドシャッタ６には第１の定格電圧である「７７ｋＶ」と第３の定格電圧である「２２ｋＶ」の表示、ならびに覗き窓９と１０および１１を設けてある。
【００１７】
このスライドシャッタ４の後側には図８に示すタップ位置表示板１が、また前側には表示窓３を有する表面板（回動扉）２が設けられており、表面板２の表面窓３から、定格電圧の表示とタップ位置番号（以下、タップ位置表示目盛と称す）が見えるようになっている。
【００１８】
前側および後側スライドシャッタ５および６の覗き窓７〜１０の関係位置は次の通り。
【００１９】
覗き窓７と９は回転するタップ位置表示板１の第２の定格電圧３３ｋＶのタップ位置表示目盛が覗ける位置、覗き窓８は第１の定格電圧７７ｋＶと後側スライドシャッタ６の「７７ｋＶ」の表示が覗ける位置、覗き窓１０は、第３の定格出苦圧２２ｋＶのタップ位置表示目盛が覗ける位置に設ける。
【００２０】
そして、前側および後側のスライドシャッタ５および６は、図８に示すように同図の左右に移動可能となっている。
【００２１】
また、前面の表面板２は回動扉で、その表示窓３は、覗き窓８の巾より若干広い窓となっている。
【００２２】
次に、スライドシャッタの動作とタップ位置表示目盛の表示について図４ないし図６により説明する。
【００２３】
図４は定格電圧７７ｋＶ運転時のスライドシャッタの状態を示す正面図、図５は同じく定格電圧３３ｋＶ運転時のスライドシャッタの状態を示す正面図、図６は同じく定格電圧２２ｋＶ運転時のスライドシャッタの状態を示す正面図である。
【００２４】
図４は前面スライドシャッタ５と後側スライドシャッタ６を正規位置（覗き窓８，９，１０の中心線が合った状態）に重ね合わせた状態で前側スライドシャッタ５の覗き窓８から後側スライドシャッタ６の「７７ｋＶ」の表示が見えるとともに、前側スライドシャッタ５の覗き窓８と後側スライドシャッタ６の覗き窓１１を通してタップ位置表示板１の７７ｋＶのタップ位置表示目盛が見える。
【００２５】
このとき、後側スライドシャッタ６の表示２２ｋＶは前面スライドシャッタ５で隠れ、前側スライドシャッタ５の表示「３３ｋＶ」は表面板２により隠れ、表面板２の表示窓３からは、図４図示のように７７ｋＶの表示と第１の定格電圧７７ｋＶのタップ位置表示目盛のみが見える。
【００２６】
次に、図４の前側スライドシャッタ５と後側スライドシャッタ６を重ねた定格電圧７７ｋＶ運転時の正規位置から、図５に示すように、前側スライドシャッタ５を左側にスライドさせると、表示窓３からは前側スライドシャッタ５の覗き窓７と後側スライドシャッタ６の覗き窓９の重なった部分を通してタップ位置表示板１の３３ｋＶのタップ位置表示目盛が見えるとともに、前側スライドシャッタ５の「３３ｋＶ」の表示のみが見え、定格電圧３３ｋＶ運転時の状態を示す。
【００２７】
さらに、図４の正規位置から、図６に示すように後側スライドシャッタ６を左側にスライドさせると、表示窓３からは前側スライドシャッタ５の覗き窓８と後側スライドシャッタ６の覗き窓１０の重なった部分を通してタップ位置表示板１の２２ｋＶのタップ位置表示目盛が見えるとともに、前側スライドシャッタ５の覗き窓８を通して後側スライドシャッタ６の「２２ｋＶ」の表示が見えるようになり、定格電圧２２ｋＶ運転時の状態を示すようになる。
【００２８】
このように、前側スライドシャッタ５および後側スライドシャッタ６をスライドさせることにより、３定格電圧切換に対応する定格電圧の表示とタップ位置表示が可能になる。
【００２９】
前記のスライドシャッタの操作方法としては、手動操作とソレノイドを使用した操作方法がある。まず、手動操作について説明する。
【００３０】
図７は本発明のタップ位置表示装置におけるスライドシャッタを取り付けたタップ位置表示装置の正面図で、タップ位置表示板１は前面板２で隠れ、表示窓３からタップ位置表示目盛のみが見える。スライドシャッタの手動操作について説明する。図７において、タップ位置表示板１の前に表示窓３を有する表面板２の内側に、前側スライドシャッタ５を前に、後側スライドシャッタ６を後に配置して重ねて取り付けたスライドシャッタ４をスライド可能なレール（図示省略）に取り付け、定格電圧を切り換えた際に、手動により前側スライドシャッタ５と後側スライドシャッタ６を前記の図４ないし図６に示したシャッタ動作となるように切り換えることにより、各定格電圧の表示とタップ位置の表示が可能になる。
【００３１】
図８は本発明のタップ位置表示装置におけるスライドシャッタを取り付けたタップ位置表示装置のソレノイドの動作の説明のための上視図で、図８において、表示窓３を設けた表面板２の後ろに前側スライドシャッタ５を前に、後側スライドシャッタ６を後ろに配置したスライドシャッタ４を配置し、その後ろ側にタップ位置表示板１を配置する。そして、前側スライドシャッタ５の一端に前側ソレノイド１２を取り付け他端に前側バネ１４を取り付けてある。また、後側スライドシャッタ６の一端に後側ソレノイド１３を取り付け他端に後側バネ１５を取り付けてある。
【００３２】
図９〜図１１は本発明のタップ位置表示装置におけるスライドシャッタを取り付けたタップ位置表示装置のスライドシャッタの位置関係を示す図である。
【００３３】
図９は定格電圧７７ｋＶ運転時の状態を示す正面図で、図９において、前側ソレノイド１２と後側ソレノイド１３の両方とも無励磁状態にすると、前側スライドシャッタ５と後側スライドシャッタ６はともに正規位置にあり、図４の定格電圧７７ｋＶ運転時の状態を示している。
【００３４】
図１０は定格電圧３３ｋＶ運転時の状態を示す正面図で、図８において、前側ソレノイド１２を励磁状態としてスライドシャッタ５を左側にスライドさせ、後側ソレノイド１３を無励磁状態としてスライドシャッタ６を正規位置におき、図５の定格電圧３３ｋＶ運転時の状態を示している。
【００３５】
図１１は定格電圧２２ｋＶ運転時の状態を示す正面図で、図８において、前側ソレノイド１２を無励磁状態としてスライドシャッタ５を正規位置におき、後側ソレノイド１３を励磁状態としてスライドシャッタ６を左側にスライドさせ、図６の定格電圧２２ｋＶ運転時の状態を示している。
【００３６】
それぞれのソレノイド１２または１３が解放されると、それぞれのスライドシャッタ５または６は、それぞれバネ１４または１５の力で正規位置に戻る構造になっている。
【００３７】
図１２は本発明のタップ位置表示装置におけるタップ位置表示装置の制御回路の回路図で、図１２に示すように、電源（例えばＡＣ２００Ｖ）のＲに、３回路切換のセレクタスイッチ１６を接続し、このセレクタスイッチ１６のセレクタスイッチ端子１７を電源Ｒに接続し、また、セレクタスイッチ端子１８をリレー２１を介して電源Ｔに、セレクタスイッチ端子２０をリレー２２を介して電源Ｔに接続し、中央のセレクタスイッチ端子１９はオープンにしてある。
【００３８】
さらに、電源ＲとＴの間に、接点２３と前側ソレノイド１２を介して接続する回路と、接点２４と前側ソレノイド１３を介して接続する回路を設けてある。
【００３９】
定格電圧７７ｋＶ運転時には、セレクタスイッチ１６は中央のセレクタスイッチ端子１９に接続されておりオープンのため電源Ｔには接続されておらず、ソレノイド１２および１３はともに無励磁状態で、スライドシャッタ５および６は正規位置にある。
【００４０】
定格電圧３３ｋＶ運転時には、セレクタスイッチ１６をセレクタスイッチ端子１８に接続することにより、リレー２１が励磁され接点２３が接続されることにより、３３ｋＶ側の前側ソレノイド１２が励磁され、前側スライドシャッタ５がスライドする構成になっている。
【００４１】
また、定格電圧２２ｋＶ運転時には、セレクタスイッチ１６をセレクタスイッチ端子２０に接続することにより、リレー２２が励磁され接点２４が接続されることにより、２２ｋＶ側の後側ソレノイド１３が励磁され、後側スライドシャッタ６がスライドする構成になっている。
【００４２】
この制御回路を組み込むことで、定格電圧７７ｋＶ／３３ｋＶ／２２ｋＶの切り換えに合わせ、自動的にタップ位置表示装置の定格電圧の表示とタップ位置の表示を切り換えることができる。
【００４３】
これにより、図７に示すように各定格電圧に対応するタップ位置を表示窓３にに正確に表示することができる。
【００４４】
なお、電圧は７７ｋＶ／３３ｋＶ／２２ｋＶに限らず、他の電圧の組み合わせても適用できる。
【００４５】
【発明の効果】
本発明のタップ位置表示装置は、前述のように構成されているので、次に記載する効果を奏する。
【００４６】
（１）定格電圧に対応するタップ位置を表記したタップ位置表示板を使用することにより、各定格電圧でのタップ位置が確認できる。その時、半径方向のタップ位置と定格電圧の表示位置は、図面では内側から７７ｋＶ，２２ｋＶ，３３ｋＶとしたが、この順序はいずれでも採用できる。
【００４７】
（２）定格電圧を表記するとともに、覗き窓を有する２枚のスライドシャッタを組み合わせることで、このタップ位置表示装置から現在の定格電圧および対応するタップ位置が確認・把握できる。
【００４８】
（３）ソレノイドを使用し、その制御回路を組むことで、電気的制御が可能になり、制御開閉器の切換に伴い自動的に現在の定格電圧の表示とタップ位置の表示をを切り換えることができる。
【００４９】
（４）ソレノイドを使用する場合、７７ｋＶの場合は問題ないが、２２ｋＶおよび３３ｋＶの場合、ソレノイド励磁状態でタップ位置および定格電圧を表示させている。この場合、制御電源ＯＦＦ時には変圧器は２２ｋＶまたは３３ｋＶ状態にもかかわらず、タップ位置表示は７７ｋＶのタップ位置表示となる。したがって、スライドシャッターを手動にて表示させる構造も可能とさせる。
【図面の簡単な説明】
【図１】本発明の３定格電圧切換変圧器の３５タップの副切換器付負荷時タップ切換装置と無電圧直並列切換器の接続とタップ位置の関係を示す関係図。
【図２】本発明のタップ位置表示装置の第１の実施の形態におけるタップ位置表示板の正面図。
【図３】本発明のタップ位置表示装置におけるスライドシャッタの分解説明図。
【図４】本発明のタップ位置表示装置における定格電圧７７ｋＶ運転時のスライドシャッタの状態を示す正面図。
【図５】本発明のタップ位置表示装置における定格電圧３３ｋＶ運転時のスライドシャッタの状態を示す正面図。
【図６】本発明のタップ位置表示装置における定格電圧２２ｋＶ運転時のスライドシャッタの状態を示す正面図。
【図７】本発明のタップ位置表示装置におけるスライドシャッタを取り付けたタップ位置表示装置の正面図。
【図８】本発明のタップ位置表示装置におけるスライドシャッタを取り付けたタップ位置表示装置のソレノイドの動作説明のための上視図。
【図９】本発明のタップ位置表示装置におけるスライドシャッタを取り付けたタップ位置表示装置の定格電圧７７ｋＶ運転時の状態を示す正面図。
【図１０】本発明のタップ位置表示装置におけるスライドシャッタを取り付けたタップ位置表示装置の定格電圧３３ｋＶ運転時の状態を示す正面図。
【図１１】本発明のタップ位置表示装置におけるスライドシャッタを取り付けたタップ位置表示装置の定格電圧２２ｋＶ運転時の状態を示す正面図。
【図１２】本発明のタップ位置表示装置におけるタップ位置表示装置の制御回路の回路図。
【図１３】従来の負荷時タップ切換装置の電動操作機構のタップ位置表示装置の構成図。
【図１４】従来の負荷時タップ切換装置の電動操作機構のタップ位置表示装置のタップ位置指示板の正面図。
【符号の説明】
１…タップ位置表示板
２…表面板
３…表示窓
４…スライドシャッタ
５…前側スライドシャッタ
６…後側スライドシャッタ
７…覗き窓
８…覗き窓
９…覗き窓
１０…覗き窓
１１…覗き窓
１２…前側ソレノイド
１３…後側ソレノイド
１４…前側バネ
１５…後側バネ
１６…セレクタスイッチ
１７…セレクタスイッチ端子
１８…セレクタスイッチ端子
１９…セレクタスイッチ端子
２０…セレクタスイッチ端子
２１…リレー
２２…リレー
２３…接点
２４…接点
【図１】
0003965768.tif 000002
【図２】
0003965768.tif 000003
【図３】
0003965768.tif 000004
【図４】
0003965768.tif 000005
【図５】
0003965768.tif 000006
【図６】
0003965768.tif 000007
【図７】
0003965768.tif 000008
【図８】
0003965768.tif 000009
【図９】
0003965768.tif 000010
【図１０】
0003965768.tif 000011
【図１１】
0003965768.tif 000012
【図１２】
0003965768.tif 000013
【図１３】
0003965768.tif 000014
【図１４】
0003965768.tif 000015